(57)【要約】【課題】画面を表示して情報を出力する装置の利用者が替わったときに画面の切り替えを行う。【解決手段】端末装置１は、タッチパネルとＬＣＤなどの入出力部１２と、モーションセンサ１２と情報処理部２０とを備える。入出力部１２に第１の画面が表示されているときに、モーションセンサの出力に基づいて人を検知する判別部２３が端末装置１の前にいる人を検知すると、入出力制御部２２が入出力部１２に第１の画面とは異なる第２の画面を表示させる。【選択図】  図２
2004302209.tif 000002
【特許請求の範囲】
【請求項１】
表示装置と、
前記表示装置前の人を検知する人検知手段と、
前記人検知手段が検知した人の色を示す色情報を取得する色情報取得手段と、
前記色情報取得手段が取得した色情報を記憶する記憶手段と、
前記表示装置に第１の画面が表示されているときに、前記人検知手段が人を検知しない状態が第１の所定時間以上継続した後に人を検知すると、前記記憶手段に記憶されている色情報が示す色と、前記色情報取得手段が取得した色情報が示す色とが同一色かどうかを判定する手段と、
前記判定手段が同一色でないと判定したときは、前記表示装置に第１の画面とは異なる第２の画面を表示させる表示制御手段とを備える情報出力装置。
【請求項２】
前記情報出力装置の利用者の認証を行う認証手段をさらに備え、
前記第１の画面は、前記認証手段により認証済みの利用者向けの画面であり、
前記第２の画面は、前記認証手段により認証されていない利用者向けのメニュー画面である請求項１記載の情報出力装置。
【請求項３】
前記判定手段が同一色であると判定したときは、前記表示制御手段は前記表示装置に第１の画面を表示させたまま、画面を切り替えない請求項１記載の情報出力装置。
【請求項４】
前記人検知手段が人を検知しない状態が、第１の所定時間より長い第２の所定時間継続したとき、前記表示制御手段は前記表示装置に広告画面を表示させる請求項１記載の情報出力装置。
【請求項５】
表示装置と、
前記表示装置前の人を検知する人検知手段と、
前記表示装置に第１の画面が表示されているときに、前記人検知手段が人を検知しない状態が所定時間以上継続した後に人を検知すると、前記表示装置に第１の画面とは異なる第２の画面を表示させる表示制御手段とを備えるＫＩＯＳＫ端末装置。
【請求項６】
前記人検知手段は複数あり、
前記情報出力装置を使用するために設置したときに、第１の人検知手段は第２の人検知手段よりも、床面からの高さが低い位置になるように配置されていて、第１の人検知手段および第２の人検知手段の双方が人を検知したときと、第１の人検知手段が人を検知し、第２の人検知手段が人を検知しないときとでは、前記表示制御手段が表示させる第２の画面が異なることを特徴とする請求項５記載のＫＩＯＳＫ端末装置。
【請求項７】
前記第１の人検知手段の床面からの高さと、第２の人検知手段の床面からの高さとの差は、０．５メートル以上である請求項６記載のＫＩＯＳＫ端末装置。
【請求項８】
表示装置に画面を表示させる方法であって、
前記表示装置前の人の色を示す色情報を記憶手段に記憶するステップと、
前記表示装置に第１の画面が表示されているときに、前記表示装置前の人を検知しない状態が継続する時間を計測するステップと、
前記表示装置前の人を検知しない状態が所定時間以上継続した後、前記表示装置前の人を検知すると、前記検知した人の色を示す情報を取得するステップと、前記記憶手段に記憶されている色情報と前記取得した色情報とを比較し、同一色であるときには、前記表示装置に第１の画面とは異なる第２の画面を表示させるステップとを有する表示方法。
【発明の詳細な説明】
【０００１】
【発明の属する技術分野】
本発明は、情報出力装置における画面切り替えの技術に関する。
【０００２】
【従来の技術】
情報を表示する表示装置および音声などを出力するスピーカを備え、店舗や駅前などに設置されて、利用者に対して情報提供を行ういわゆるＫＩＯＳＫ端末がある。
【０００３】
【発明が解決しようとする課題】
ＫＩＯＳＫ端末は、不特定多数のユーザが使用するものであるから、あるユーザが使用するためにＫＩＯＳＫ端末の前へ来たときに、前に使用したユーザが最後に見た画面がそのまま表示されていることがある。このときは、後から使用するユーザがメニュー画面へ戻すための操作を行う必要があった。
【０００４】
本発明の目的は、画面を表示して情報を出力する装置の利用者が替わったときに画面を切り替えるための技術を提供することである。
【０００５】
【課題を解決するための手段】
本発明の一つの実施態様に従う情報出力装置は、表示装置と、前記表示装置前の人を検知する人検知手段と、前記人検知手段が検知した人の色を示す色情報を取得する色情報取得手段と、前記色情報取得手段が取得した色情報を記憶する記憶手段と、前記表示装置に第１の画面が表示されているときに、前記人検知手段が人を検知しない状態が第１の所定時間以上継続した後に人を検知すると、前記記憶手段に記憶されている色情報が示す色と、前記色情報取得手段が取得した色情報が示す色とが同一色かどうかを判定する手段と、前記判定手段が同一色でないと判定したときは、前記表示装置に第１の画面とは異なる第２の画面を表示させる表示制御手段とを備える。第１の画面を表示させたユーザと別のユーザがやってきたことを検知して、画面を切り替えることができる。
【０００６】
好適な実施形態では、前記情報出力装置の利用者の認証を行う認証手段をさらに備えていてもよい。このとき、前記第１の画面は、前記認証手段により認証済みの利用者向けの画面であり、前記第２の画面は、前記認証手段により認証されていない利用者向けのメニュー画面であるようにしてもよい。これにより、認証していないユーザが認証済み画面を使用することを防止できる。
【０００７】
好適な実施形態では、前記判定手段が同一色であると判定したときは、前記表示制御手段は前記表示装置に第１の画面を表示させたまま、画面を切り替えないようにすることもできる。これにより、第１の所定時間以上人が検知されなかったときでも、その前後で検知した人の色が同一であれば、画面を切り替えない。
【０００８】
好適な実施形態では、前記人検知手段が人を検知しない状態が、第１の所定時間より長い第２の所定時間継続したとき、前記表示制御手段は前記表示装置に広告画面を表示させるようにしてもよい。これにより、使用されない状態が第２の所定時間以上になれば、広告を流すことができる。
【０００９】
本発明の一つの実施態様に従うＫＩＯＳＫ端末装置は、表示装置と、前記表示装置前の人を検知する人検知手段と、前記表示装置に第１の画面が表示されているときに、前記人検知手段が人を検知しない状態が所定時間以上継続した後に人を検知すると、前記表示装置に第１の画面とは異なる第２の画面を表示させる表示制御手段とを備える。
【００１０】
好適な実施形態では、前記人検知手段は複数あり、前記情報出力装置を使用するために設置したときに、第１の人検知手段は第２の人検知手段よりも、床面からの高さが低い位置になるように配置されている。そして、第１の人検知手段および第２の人検知手段の双方が人を検知したときと、第１の人検知手段が人を検知し、第２の人検知手段が人を検知しないときとでは、前記表示制御手段が表示させる第２の画面が異なるようにしてもよい。ここで、前記第１の人検知手段の床面からの高さと、第２の人検知手段の床面からの高さとの差は、０．５メートル以上であるとさらに好ましい。これにより、ＫＩＯＳＫ端末のユーザの身長により異なる画面を表示させることができる。
【００１１】
本発明の一つの実施態様に従う表示装置に画面を表示させる方法は、前記表示装置前の人の色を示す色情報を記憶手段に記憶するステップと、前記表示装置に第１の画面が表示されているときに、前記表示装置前の人を検知しない状態が継続する時間を計測するステップと、前記表示装置前の人を検知しない状態が所定時間以上継続した後、前記表示装置前の人を検知すると、前記検知した人の色を示す情報を取得するステップと、前記記憶手段に記憶されている色情報と前記取得した色情報とを比較し、同一色であるときには、前記表示装置に第１の画面とは異なる第２の画面を表示させるステップとを有する。
【００１２】
【発明の実施の形態】
以下、本発明を適用した一実施形態に係る端末装置について、図面を用いて説明する。まず、本実施形態に係る端末装置１の外観について、図１に二つの態様を示す。図１（ａ）の態様の端末装置１は、例えば、机上に置いて使用されたり、壁面や柱などに埋め込んで設置して、使用されたりする。図１（ｂ）の態様の端末装置１は、例えば、コンビニエンスストアや駅前などに設置して使用される。
【００１３】
端末装置１は、図１に示すいずれの態様であっても、筐体１０を備え、その筐体１０からは、入出力部１１と、入出力部１１の下に設けられたモーションセンサ１２とが外部へ露出している。そして、入出力部１１とモーションセンサ１２とは、互いに同じ方向を向いている。この端末装置１は、例えば、業務用途の情報処理端末（いわゆるＫＩＯＳＫ端末など）として用いると好適である。
【００１４】
入出力部１１は、例えば、入力装置としてタッチパネルを備え、表示装置としてＬＣＤ（Ｌｉｑｕｉｄ  Ｃｒｙｓｔａｌ  Ｄｉｓｐｌａｙ）を備えて実現することができる。モーションセンサ１２は、入出力部１１の前、つまり端末装置１の前をセンシングして、そこに人がいるかどうかを判定するための情報を、後述する判定部２３へ出力する。モーションセンサ１２は、さらに、色の判別が可能な色センサとしての機能を備えていてもよい。つまり、モーションセンサ１２は、端末装置１の前にいる人の色（例えば、端末装置１の前にいる人の衣服の色）を判別するための色情報を取得するようにしてもよい。この色情報は、例えば、Ｒ（赤）Ｇ（緑）Ｂ（青）のそれぞれについて、所定の範囲内の値（例えば０−２５５）で表される。ここで取得された色情報が、後述する判定部２３へ出力される。なお、色センサは、モーションセンサとは別体で構成されてもよい。
【００１５】
図２は、端末装置１の構成の一例を示す図である。端末装置１は、上述の入出力部１１およびモーションセンサ１２と、情報処理部２０とを備える。情報処理部２０は、例えば汎用的なコンピュータシステムにより構成され、以下に説明する情報処理部２０内の個々の構成要素または機能は、例えば、コンピュータプログラムを実行することにより実現される。例えば、後述するコンテンツ記憶部２５内のコンテンツはＨＴＭＬ（Ｈｙｐｅｒ  Ｔｅｘｔ  Ｍａｒｋｕｐ  Ｌａｎｇｕａｇｅ）で記述されていて、入出力制御部２２および判別部２３は、Ｗｅｂブラウザおよびプラグインモジュールで実現することもできる。
【００１６】
情報処理部２０は、端末装置の利用者の認証を行う認証処理部２１と、入出力部１１の制御を行う入出力制御部２２と、モーションセンサ１２からの出力に基づいて、端末装置１の前に人がいるかどうか、および人がいるときは後述する色判定を行う判別部２３と、ユーザ登録されているユーザに関する情報を記憶したユーザデータベース２４と、入出力部１１に表示させる様々なコンテンツを記憶したコンテンツ記憶部２５と、色情報を記憶する記憶部２６と、タイマ２７とを備える。
【００１７】
認証処理部２１は、端末装置１を利用するユーザの認証を行う。認証処理部２１は、例えば、入出力部１１からユーザＩＤおよびパスワードなどを入力させ、これらの情報とユーザデータベース２４に記憶されているユーザ情報とに基づいて認証を行う。なお、ユーザデータベース２４は、例えば、端末装置１とネットワークを介して接続され、アクセス可能なサーバが備えていてもよい。
【００１８】
入出力制御部２２は、入出力部１１を制御する。例えば、入出力制御部２２は、入出力部１１が受け付けた入力に応じて、コンテンツ記憶部２５に記憶されているコンテンツを選択して入出力部１１に表示させる。例えば、入出力部１１にメニュー画面が表示されているとき、入出力制御部２２は、ユーザからのメニューの選択入力を受け付けると、選択されたメニューについての詳細情報の表示画面に関する情報をコンテンツ記憶部２５から取得して、画面を切り替える。また、入出力制御部２２は、認証処理部２１において認証されたユーザに対しては、認証済みユーザ向けの特定のページを表示させるようにしてもよい。
【００１９】
判別部２３の処理については、図３および図４のフローチャートを用いて説明する。まず、図３に示す第１の処理手順について説明する。
【００２０】
ユーザが端末装置１を利用しているとき、例えば、初期画面でない画面が入出力部１１に表示されているとき、判別部２３は、タイマ２７のカウンタを初期化してカウントを始める（Ｓ１１）。ここで、入出力部１１に表示されている画面は、認証済みユーザに対してだけ提供される画面であってもよい。そして、モーションセンサ１２および判別部２３は、入出力部１１に前に人がいるかどうかを調べる（Ｓ１２）。ここで、人が検知されると（Ｓ１２：Ｙｅｓ）、ステップＳ１１へ戻り、タイマ２７がリセットされる。人が検知されないときは（Ｓ１２：Ｎｏ）、判別部２３はタイマ２７に経過時間を問い合わせ、所定の経過時間が過ぎたかどうかを判定する（Ｓ１３）。この所定の経過時間は、画面を切り替えるかどうかの判定を行うためのものであるから、以下、切り替え時間という。切り替え時間は、例えば３秒程度とすることができる。切り替え時間が経過してないときは（Ｓ１３：Ｎｏ）、ステップＳ１２へ戻る。切り替え時間が経過したとき（Ｓ１３：Ｙｅｓ）、つまり、モーションセンサ１２が人を検出しない時間が切り替え時間を越えたときは、ステップＳ１１−Ｓ１３のループを抜け、ステップＳ１４において、モーションセンサ１２および判別部２３が人を検知したかどうかを判定する（Ｓ１４）。
【００２１】
ここで、人が検知されると（Ｓ１４：Ｙｅｓ）、入出力制御部２２は、入出力部１１にメニュー画面を表示させ、表示中の画面から切り替える（Ｓ１５）。ステップＳ１４で人が検知されたときは、その人はその時点で表示されている画面を表示させたユーザとは同一人物でない可能性が高い。つまり、端末装置１を使用していたユーザが立ち去り、新たなユーザが端末装置１の前へやってきた可能性が高いので、メニュー画面へ切り替えることにより、このユーザはすぐに端末装置１の利用を始めることができる。
【００２２】
ステップＳ１４で人が検知されないときは（Ｓ１４：Ｎｏ）、判別部２３はタイマ２７に経過時間を問い合わせ、所定の経過時間が過ぎたかどうかを判定する（Ｓ１６）。この所定の経過時間は、タイムアウトの判定を行うためのものであるので、以下、タイムアウト時間という。タイムアウト時間が経過していないときは（Ｓ１６：Ｎｏ）、ステップＳ１４へ戻る。タイムアウト時間が経過したときは（Ｓ１６：Ｙｅｓ）、入出力制御部２２は、入出力部１１に広告画面を表示させる（Ｓ１７）。あるいは、広告画面の代わりに所定の初期画面を表示させてもよい。なお、初期画面とメニュー画面とは同一画面であってもよいし、異なる画面であってもよい。
【００２３】
広告画面に切り替えた後も、モーションセンサ１２および判別部２３が人を検知したかどうかの判定を続ける（Ｓ１８）。そして、ステップＳ１８で人が検知されると、入出力制御部２２がステップＳ１５の画面切り替え処理を行う。
【００２４】
次に、図４に示す第２の処理手順について説明する。この処理手順においては、さらに、色情報を用いた処理を行う。
【００２５】
ユーザが端末装置１を利用しているとき、例えば、初期画面でない画面（認証済みユーザ向け画面を含む）が入出力部２２に表示されているとき、判別部２３は、タイマ２７のカウンタを初期化してカウントを始める（Ｓ２１）。このときに、判別部２３が直前に検知した人の色を示す色情報を記憶部２６に記憶する（Ｓ２２）。ここで、色情報としては、例えば、ＲＧＢのそれぞれについて、モーションセンサが測定した値が含まれる。そして、モーションセンサ１２および判別部２３は、入出力部１１前に人がいるかどうかを調べる（Ｓ２３）。ここで、人が検知されると（Ｓ２３：Ｙｅｓ）、ステップＳ２１へ戻る。人が検知されないときは（Ｓ２３：Ｎｏ）、判別部２３はタイマ２７に経過時間を問い合わせ、切り替え時間が過ぎたかどうかを判定する（Ｓ２４）。切り替え時間が経過してないときは（Ｓ２４：Ｎｏ）、ステップＳ２３へ戻る。切り替え時間が経過したとき（Ｓ２４：Ｙｅｓ）、つまり、モーションセンサが人を検出しない状態が切り替え時間以上継続したときは、ステップＳ２５へ進んで、モーションセンサ１２および判別部２３は、人を検知したかどうかの判定を継続して行う（Ｓ２５）。
【００２６】
ここで、人が検知されると（Ｓ２５：Ｙｅｓ）、判別部２３はモーションセンサ１２が検出した色情報と、記憶部２６に記憶されている色情報とを対比して、色判定を行う（Ｓ２６）。つまり、判別部２３はモーションセンサ１２が検知した人の色と、記憶部２６に記憶されている色情報が示す色とが同一色であるかどうかを判定する。ここで、同一色であるかどうかの判定は、例えば、ＲＧＢのそれぞれの値が完全に一致する場合の他、ＲＧＢの値の一部または全部が相違する場合であっても、その相違が所定の範囲内であるときは同一色であるとする。
【００２７】
この結果、ここで検出された人の色と記憶部２６に記憶されている色情報が示す色とが同一色でないときは（Ｓ２６：Ｎｏ）、入出力制御部２２が入出力部１１に表示中の画面をメニュー画面に切り替える（Ｓ２７）。一方、ここで検出された人の色と記憶部２６に記憶されている色情報が示す色とが同一色であるときは（Ｓ２６：Ｙｅｓ）、ステップＳ２７の画面の切り替えを行わない。
【００２８】
色情報を用いた処理の場合、切り替え時間が経過した後にステップＳ２５で人を検知した後、さらに、ここで検出された人の色と表示中の画面を表示させた人の色とを比較して、同一人物であるかどうかの判定を２段階で行う。これにより、同一人物であるかどうかの判定の精度が向上する。
【００２９】
ステップＳ２５で人が検知されないときは（Ｓ２５：Ｎｏ）、判別部２３はタイマ２７に経過時間を問い合わせ、タイムアウト時間が過ぎたかどうかを判定する（Ｓ２８）。タイムアウト時間が経過しないときは（Ｓ２８：Ｎｏ）、ステップＳ２５へ戻る。タイムアウト時間が経過したときは（Ｓ２８：Ｙｅｓ）、入出力制御部２２は、入出力部１１に初期画面を表示させる（Ｓ２９）。あるいは、初期画面の代わりに広告画面を表示させてもよい。
【００３０】
次に、第２の実施形態について説明する。本実施形態についての説明は、第１の実施形態と異なる点を中心に説明し、第１の実施形態と同一の機能または構成については同一の符号を付して説明を省略する場合がある。
【００３１】
第２の実施形態に係る端末装置５の外観を図５に示す。端末装置５は、入出力部１１と複数のモーションセンサ１２とが筐体１０から露出している。図５に示す例では、端末装置５はモーションセンサ１２を２つ有する。各モーションセンサ１２ａ，１２ｂは、いずれも入出力部１１と同じ方向を向いて設置されている。
【００３２】
各モーションセンサ１２ａ，１２ｂは、端末装置５を通常使用する状態で設置したとき、それぞれの床面からの高さが互いに異なる高さになるように配置されている。例えば、モーションセンサ１２ａは、入出力部１１の上に配置され、モーションセンサ１２ｂは入出力部１１の下に配置されている。図５の例では、モーションセンサ１２ａの床面からの高さは１．５ｍであり、モーションセンサ１２ｂの床面からの高さは１ｍである。このようにモーションセンサ１２ａとモーションセンサ１２ｂとの高さの差が０．５ｍ以上あると好適である。
【００３３】
第２の実施形態に係る端末装置５の機能構成を図６に示す。モーションセンサ１２ａと１２ｂとは、それぞれ独立に人の検知を行う。従って、モーションセンサ１２ａ、１２ｂの人の検知、不検知には、図７に示す４パターンがある。つまり、（１）モーションセンサ１２ａおよび１２ｂの双方が検知、（２）モーションセンサ１２ａおよび１２ｂの双方が不検知、（３）モーションセンサ１２ａが不検知、モーションセンサ１２ｂが検知、（４）モーションセンサ１２ａが検知、モーションセンサ１２ｂが不検知の４通りである。
まず、（２）の場合、判別部２９は、端末装置５の前に人がいないものと判断する。（１）の場合、判別部２９は、端末装置５の前に身長が一定以上の人が立っているものと判断する。このとき、入出力制御部２２は、コンテンツ記憶部２５から大人向けコンテンツを取得し、入出力部１１に表示させる。
（３）の場合、判別部２９は、端末装置５の前に身長が一定以下の人が立っているものと判断する。このとき、入出力制御部２２は、コンテンツ記憶部２５から子ども向けコンテンツを取得し、入出力部１１に表示させる。
（４）の場合、判別部２９は、端末装置５の前に人がいない（誤検知）と判断する。
【００３４】
本実施形態に係る端末装置５もまた、図３および図４に示すフローチャートに従って処理を実行する。このとき、例えば図３を例にとれば、ステップＳ１２，Ｓ１４，Ｓ１８の人を検知したかどうかの判断は、上述の基準に従う。つまり、（１）、（３）の場合に、端末装置５の前に人がいると判定する。さらに、ステップＳ１５では、（１）の場合（身長が一定以上の人が端末装置５前にいると判定されたとき）は、大人向けのメニュー画面を表示させ、（２）の場合（身長が一定以下の人が端末装置５前にいると判定されたとき）は、子ども向けのメニュー画面を表示させるようにしてもよい。
【００３５】
図４の場合、人の検知を行うステップＳ２３、Ｓ２５およびメニュー画面の表示を行うステップＳ２７についても同様である。
【００３６】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【図面の簡単な説明】
【図１】本発明を適用した第１の実施形態に係る端末装置の外観の一例を示す図である。
【図２】第１の実施形態に係る端末装置の構成の一例を示す図である。
【図３】端末装置の処理手順を示すフローチャートである。
【図４】端末装置の色情報を用いた処理手順を示すフローチャートである。
【図５】本発明を適用した第２の実施形態に係る端末装置の外観の一例を示す図である。
【図６】第２の実施形態に係る端末装置の構成の一例を示す図である。
【図７】二つのモーションセンサの検知パターンを説明するための図である。
【符号の説明】
１…端末装置、１０…筐体、１１…入出力部、１２，１２ａ，１２ｂ…モーションセンサ、２１…認証処理部、２２…入出力制御部、２３、２９…判別部、２４…ユーザデータベース２４、２５…コンテンツ記憶部、２６…記憶部、２７…タイマ。
【図１】
2004302209.tif 000003
【図２】
2004302209.tif 000004
【図３】
2004302209.tif 000005
【図４】
2004302209.tif 000006
【図５】
2004302209.tif 000007
【図６】
2004302209.tif 000008
【図７】
2004302209.tif 000009